(57)【要約】      （修正有）【課題】施解錠状態を容易に目視確認できるポップアウト型扉用ロックハンドル装置を提供する。【解決手段】解錠状態において外部へ露出する固定ケース２のハンドル収納凹部の前面又はハンドル３の軸筒部６の外周の少なくとも一部に、目視確認可能な解錠標識１５ａ、１６ａが付されるので、解錠状態を容易に目視確認可能で、施錠忘れを防止することができる。【選択図】図４
0003188614.tif 000002
【実用新案登録請求の範囲】
【請求項１】
軸受け筒部と、ハンドル収納部とを有し、扉に固着される固定ケースと；この固定ケースの軸受け筒部内にロック位置と非ロック位置との間を回転可能かつ前後方向には移動不能に挿入される内筒と；この内筒内へ相対回転不能かつ軸受け筒部から突出した解錠位置と軸受け筒部内へ押し込まれた施錠位置の間を前後方向に相対移動可能に挿入さればねで解錠位置へ付勢される軸筒部と、軸筒部から半径方向へ延出する握り部とを有するハンドルと；前記内筒の後端部に固着され、ロック位置において筐体に係合し非ロック位置において筐体から離脱する止め金板と、ハンドルの軸筒部に組み込まれる錠前ユニットと；ハンドルの軸筒部内に組み込まれ、施錠位置において前記軸筒部及び内筒の開口から半径方向へ突出して前記固定ケースの軸受け筒部に係合するように付勢され、前記錠前ユニットのロータの回転に連動して軸筒部内へ引き込まれるデッドボルトと；を具備し、
前記固定ケースのハンドル収納部の前面又は前記ハンドルの軸筒部外周の少なくとも一部に、解錠状態において目視確認可能な解錠標識が付されていることを特徴とするポップアウト型扉用ロックハンドル装置。
【請求項２】
前記固定ケースのハンドル収納部は、前記ハンドルの握り部を受け入れる収納凹部を前面側に具備し、この収納凹部の前面に、前記解錠標識としての着色シールが貼着されることを特徴とする請求項１に記載のポップアウト型扉用ロックハンドル装置。
【請求項３】
前記ハンドルの軸筒部には、前記錠前ユニットを抜け止めするための抜け止め金具が半径方向に貫通するように差し込み固定され、
この抜け止め金具の差し込み方向の両端面は、ハンドルの軸筒部外周に露出し、この両端面に、前記解錠標識としての着色部が設けられることを特徴とする請求項１に記載のポップアウト型扉用ロックハンドル装置。
【考案の詳細な説明】
【技術分野】
【０００１】
この考案は、自動販売機などに使用されるポップアウト型の扉用ロックハンドル装置における施錠忘れ防止構造に関するものである。
【背景技術】
【０００２】
自動販売機類には、ポップアウト型の扉用ロックハンドル装置が広く使用されている。このロックハンドル装置は、扉に固着される固定ケースと、この固定ケースに組み込まれるハンドルとを有する。ハンドルは、解錠状態において、固定ケースから前方へ突出して回転操作が可能であるが、施錠状態においては、固定ケースの収納凹部に埋没し、開扉操作が不可能となる。解錠状態において、固定ケースから前方へ突出したハンドルをロック位置と非ロック位置の間で回転操作することにより、止め金板を筐体に対して係合、離脱させる（実用新案登録文献1参照）。ハンドルの軸筒部内には、施錠状態において軸筒部からその外周側へ突出して固定ケースに係合するデッドボルトと、このデッドボルトをロータの回転により操作する錠前ユニットとが装着される。ハンドルをロック位置で固定ケースへ押し込むと自動的にデッドボルトが突出して施錠される。キー操作により錠前ユニットのロータを回転させることによって、デッドボルトを解錠位置へ持ち来すと解錠され、同時にハンドルが付勢力で前方へ飛び出し、ハンドルによる開扉操作が可能となる。
【先行技術文献】
【特許文献】
【０００３】
【特許文献１】特開２００３−１２００８７号公報
【考案の概要】
【考案が解決しようとする課題】
【０００４】
上記従来の自動販売機類においては、ロックハンドルを施錠しない状態においても、扉は、閉鎖状態を維持することができる構成になっている。このため、筐体内への商品補給等の所要の作業が終了して扉を閉じた後は、ロックハンドルの突出状態を目視確認することによって施解錠を確認する必要がある。ところが、扉自体が閉鎖状態にあると、ロックハンドルの突出状態、すなわち、解錠状態を確認し忘れる事故が生じがちである。
したがって、この出願に係る考案は、施解錠状態を容易に目視確認できるポップアウト型のロックハンドル装置を提供することを目的としている。
【課題を解決するための手段】
【０００５】
以下、添付図面の符号を参照して説明するが、本考案はこれに限定されるものではない。
上記課題を解決するための、この出願に係る考案のロックハンドル装置１は、軸受け筒部４とハンドル収納部５とを有し扉Ｄに固着される固定ケース２と、固定ケース２の軸受け筒部４内にロック位置と非ロック位置の間を回転可能かつ前後方向に移動不能に挿入される内筒８と、この内筒８内へ相対回転不能かつ軸受け筒部４から前方へ突出した解錠位置とこれへ押し込まれた施錠位置の間を前後方向に相対移動可能に挿入され解錠位置へ付勢される軸筒部６と軸筒部６から半径方向へ延出する握り部７とを有するハンドル３と、内筒８の後端部に固着されロック位置で筐体に係合し非ロック位置で筐体から離脱する止め金板１０と、ハンドル３の軸筒部６に組み込まれる錠前ユニット１１と、ハンドル３の軸筒部６内に組み込まれるデッドボルト１２とを具備する。ハンドル３の軸筒部６は、固定ケース２の軸受け筒部４の前方へ突出した解錠位置と、軸受け筒部４内へ押し込まれた施錠位置との間を前後方向に移動自在で、ばね９で解錠位置へ付勢される。デッドボルト１２は、施錠位置において内筒８の開口から半径方向へ突出して固定ケース２の軸受け筒部４に係合するように付勢され、錠前ユニット１１のロータ１１ａの回転に連動して軸筒部６内へ引き込まれ軸受け筒部４から離脱する。固定ケース２のハンドル収納凹部５ａの前面又はハンドル３の軸筒部６の外周の少なくとも一部には、解錠状態において目視確認可能な解錠標識１５ａ、１６ａ、１７ａ、１８が付される。
【考案の効果】
【０００６】
この出願に係る考案のロックハンドル装置１によれば、解錠状態において外部へ露出する固定ケースのハンドル収納凹部５ａの前面又はハンドル３の軸筒部６の外周の少なくとも一部に、目視確認可能な解錠標識１５ａ、１６ａ、１７ａ、１８が付されるので、解錠状態を容易に目視確認可能で、施錠忘れを防止するのに顕著な効果を有する。
【図面の簡単な説明】
【０００７】
【図１】本考案に係るロックハンドル装置の断面図である。
【図２】図１におけるII−II断面図である。
【図３】図１のロックハンドル装置の正面図である。
【図４】図１のロックハンドル装置の解錠状態の側面図である。
【図５】図１のロックハンドル装置の背面図である。
【図６】図１のロックハンドル装置の固定ケースの斜視図である。
【図７】図１のロックハンドル装置の抜け止め金具の正面図である。
【考案を実施するための形態】
【０００８】
図面を参照してこの考案の実施の形態を説明する。
ロックハンドル装置１は、扉Ｄに固着される固定ケース２と、これに収納・突出自在に組み込まれるハンドル３とを具備する。
【０００９】
固定ケース２は、軸受け筒部４とハンドル収納部５とを有する。ハンドル３は、固定ケース２の軸受け筒部４内へ挿入される軸筒部６と、この軸筒部６の前端から軸線直交方向に延出する握り部７とを具備する。固定ケース２のハンドル収納部５の前面側には、ハンドル３の握り部７を受け入れる凹部５ａが形成される。図１に示すように、ハンドル３は、この凹部５ａ内に、その前面が固定ケース２の前面と面一となるように収容される。
【００１０】
軸受け筒部４内には、内筒８が挿入され、その内側にハンドルの軸筒部６が挿入される。内筒８は、ロック位置と非ロック位置の間をほぼ９０°の範囲で回転可能であり、前後方向には移動不能である。
【００１１】
ハンドルの軸筒部６は、内筒８に対して、相対回転不能であり、したがって、軸筒部６は、軸受け筒部４内を内筒８と一体にロック位置（図１）と非ロック位置（図３の仮想線）の間を回転する。また、軸筒部６は、軸受け筒部４から前方へ突出した解錠位置（図１の仮想線）と、軸受け筒部４へ押し込まれた施錠位置（図１の実線）の間を前後方向に相対移動可能であり、かつばね９で解錠位置、すなわち突出方向へ付勢される。
【００１２】
内筒８の後端部は、軸受け筒部４から後方へ突出し、これに止め金板１０が固着される。止め金板１０は、図１に示すロック位置で図示しない筐体の係合部に係合し、非ロック位置（図３の仮想線）で筐体から離脱し、開扉を可能とする。
【００１３】
ハンドル３の軸筒部６には、錠前ユニット１１とデッドボルト１２が組み込まれる。デッドボルト１２は、図１に示すように、軸筒部６が軸受け筒部４内に押し込まれた施錠位置において、内筒８の開口（図示せず）から半径方向（紙面前後方向）へ突出して軸受け筒部４の係合凹部（図示せず）に係合するように、ばね１３で付勢される。また、デッドボルト１２は、錠前ユニット１１のロータ１１ａの回転に連動して軸筒部６内へ引き込まれ、軸受け筒部４の係合部から離脱する。したがって、デッドボルト１２は、軸筒部６が軸受け筒部４内に押し込まれると、自動的に突出してハンドル３を施錠し、その操作を不可能とする。
【００１４】
ハンドルの軸筒部６には、錠前ユニット１１を抜け止めするための抜け止め金具１４が半径方向に貫通するように差し込み固定される。抜け止め金具１４は、軸筒部６にねじ止めされる頭部１５と、頭部から二股に分かれて錠前ユニット１１のケースの外周に沿う肩部１６と、ケースの外周対向部に係合する一対の脚部１７とを具備する。抜け止め金具１４の差し込み方向の両端面である頭部表面１５ａ、肩部表面１６ａ及び脚部端面１７ａが、ハンドルの軸筒部６の外周に露出する。
【００１５】
図１に示すように、固定ケース２のハンドル収納凹部５ａの前面には、解錠状態を容易に視認できる蛍光塗料等で着色が施された標識シール１８が貼着される。標識シール１８に代えて、ハンドル収納凹部５ａの前面自体を着色して標識とすることができる。
【００１６】
図１，４に示すように、抜け止め金具１４の差し込み方向の両端面である頭部表面１５ａ、肩部表面１６ａ及び脚部端面１７ａには、解錠状態、すなわち軸筒部６が軸受け筒部４から突出していることを容易に視認できる解錠標識としての着色部（以下各端面と同一符号１５ａ、１６ａ、１７ａで参照する。）が設けられる。解錠標識としての着色部は、軸筒部６の外周面に直接塗料を塗布することによって形成してもよいが、加工工程上は、抜け止め金具１４の両端面１５ａ、１６ａ、１７ａに塗布するのが容易である。この方法によっても、あらゆる角度から着色部１５ａ、１６ａ、１７ａを視認することができる。抜け止め金具１４の着色による解錠標識は、ハンドル収納凹部５ａの前面に設けられる解錠標識１８と選択的に採用することも、併用することもできる。
【００１７】
このロックハンドル装置１は、扉Ｄを閉じて、ハンドル５を図１に示すロック位置に回転させ、固定ケース２内に押し込むと、握り部７が収納凹部７ａ内にはまり、同時にデッドボルト１２が半径方向外側へ突出して軸受け筒部４に係合する。これにより、扉Ｄがロック状態で錠止されることになる。扉Ｄを開くには、図示しないキーにより錠前ユニット１１を解錠操作してロータ１１ａを回転させ、デッドボルト１２を引き込むと、ばね９によりハンドル３の軸筒部６が前方へ押し出される。ハンドル３を９０°回転させて非ロック位置へ持ち来せば、止め金板１０が筐体から外れ、開扉が可能となる。ロックハンドル装置１が解錠状態にあるときは、ハンドル３は固定ケース２から突出しており、この状態においては、ハンドル収納凹部５ａの解錠標識１８又は抜け止め金具１４の解錠標識１５ａ、１６ａ、１７ａが露出する。したがって、作業者が、あらゆる角度から解錠標識１５ａ、１６ａ、１７ａ、１８を視認でき、解錠状態を容易に認識できる。このため、施錠忘れが生じにくい。
【符号の説明】
【００１８】
１    ロックハンドル装置
２    固定ケース
３    ハンドル
４    軸受け筒部
５    ハンドル収納部
５ａ  ハンドル収納凹部
６    軸筒部
７    握り部
８    内筒
９    ばね
１０  止め金板
１１  錠前ユニット
１１ａ  ロータ
１２  デッドボルト
１３  ばね
１４  抜け止め金具
１５  頭部
１５ａ  頭部表面（解錠標識）
１６  肩部
１６ａ  肩部表面（解錠標識）
１７  脚部
１７ａ  脚部端面（解錠標識）
１８  解錠標識シール
【図１】
0003188614.tif 000003
【図２】
0003188614.tif 000004
【図３】
0003188614.tif 000005
【図４】
0003188614.tif 000006
【図５】
0003188614.tif 000007
【図６】
0003188614.tif 000008
【図７】
0003188614.tif 000009